(57)【特許請求の範囲】
【請求項１】
容器本体と蓋体とからなるごみ容器において、前記容器本体は、側壁の上端に形成された上部フランジと該上部フランジの直ぐ下方に形成された折り返しフランジとを有するとともに、前記折り返しフランジには、該折り返しフランジの垂直部を側壁側に凹ますことにより凹部が形成されており、一方、前記蓋体は、屋根部の先端部から奥まった位置に形成され、且つ、円形状のごみ投入口が穿設された板状部と、該板状部の左右両端の垂直縁から前記屋根部の先端部まで延在する、前記板状部に対して略垂直な側壁と、該側壁の先端から前記屋根部の先端部まで延在する正面壁と、前記板状部の下端から下り傾斜の傾斜部とからなる前面壁部を有し、また、前記屋根部には、該屋根部を構成する下部壁及び該下部壁に連続した前記屋根部に跨がって凹部が形成されているとともに、該凹部を構成する相対する側壁には、それぞれ透孔が穿設されており、更に、前記傾斜部側に位置する下部壁の内部壁面には、水平係合リブが形成されており、該水平係合リブを、前記折り返しフランジの垂直部を側壁側に凹ますことにより形成された凹部に対して反対側に位置する上部フランジの下面に引っ掛けるとともに、両側面に突設された短軸が、前記屋根部に形成された凹部を構成する側壁に穿設された透孔に挿着された状態の係止部材の係止片に形成された凸条を、前記折り返しフランジの垂直部を側壁側に凹ますことにより形成された凹部を構成する係止壁の下端縁を越えて、前記容器本体の側壁側に移動させることにより、前記容器本体に前記蓋体が取り付けられるように構成されていることを特徴とするごみ用容器。
【請求項２】
容器本体の側壁の外面から延びる水平部と該水平部の先端から下方に延びる垂直部とからなる、内袋の上部を引っ掛けるための爪体が形成されていることを特徴とする請求項１に記載のごみ用容器。
【発明の詳細な説明】
【０００１】
【発明の属する技術分野】
本発明は、空き缶やペットボトルや新聞、雑誌等の種々のごみを収容するためのごみ用容器に関するものである。
【０００２】
【従来の技術】
従来、容器本体と該容器本体に被蓋される蓋体とからなるごみ用容器において、蓋体を形成する斜面に、ごみ投入口を形成したり、或いは、筒状のごみ投入口を取着したりしたごみ用容器が知られている（例えば、実開平６−８３６０８号公報、特開平１０−４５２０４号公報等）。
【０００３】
【発明が解決しようとする課題】
上述した従来のごみ用容器においては、ごみ投入口から雨水が浸入し易いという問題があった。
【０００４】
また、従来のごみ用容器においては、容器本体に挿入されるポリ袋等の内袋の上部を引っ掛けるために、容器本体の上端部を切り欠いて爪が形成されているが、このような爪が形成されているために、容器本体の上端部等の強度が低下するという問題があった。
【０００５】
本発明の目的は、上述した従来のごみ用容器が有する課題を解決することにある。
【０００６】
【課題を解決するための手段】
本発明は、上述した目的を達成するために、第１には、容器本体と蓋体とからなるごみ容器において、前記容器本体は、側壁の上端に形成された上部フランジと該上部フランジの直ぐ下方に形成された折り返しフランジとを有するとともに、前記折り返しフランジには、該折り返しフランジの垂直部を側壁側に凹ますことにより凹部が形成されており、一方、前記蓋体は、屋根部の先端部から奥まった位置に形成され、且つ、円形状のごみ投入口が穿設された板状部と、該板状部の左右両端の垂直縁から前記屋根部の先端部まで延在する、前記板状部に対して略垂直な側壁と、該側壁の先端から前記屋根部の先端部まで延在する正面壁と、前記板状部の下端から下り傾斜の傾斜部とからなる前面壁部を有し、また、前記屋根部には、該屋根部を構成する下部壁及び該下部壁に連続した前記屋根部に跨がって凹部が形成されているとともに、該凹部を構成する相対する側壁には、それぞれ透孔が穿設されており、更に、前記傾斜部側に位置する下部壁の内部壁面には、水平係合リブが形成されており、該水平係合リブを、前記折り返しフランジの垂直部を側壁側に凹ますことにより形成された凹部に対して反対側に位置する上部フランジの下面に引っ掛けるとともに、両側面に突設された短軸が、前記屋根部に形成された凹部を構成する側壁に穿設された透孔に挿着された状態の係止部材の係止片に形成された凸条を、前記折り返しフランジの垂直部を側壁側に凹ますことにより形成された凹部を構成する係止壁の下端縁を越えて、前記容器本体の側壁側に移動させることにより、前記容器本体に前記蓋体が取り付けられるように構成したものであり、第２には、容器本体の側壁の外面から延びる水平部と該水平部の先端から下方に延びる垂直部とからなる、内袋の上部を引っ掛けるための爪体が形成されているものである。
【０００７】
【実施例】
以下に、本発明の実施例について説明するが、本発明の趣旨を越えない限り何ら、本実施例に限定されるものではない。
【０００８】
ごみ用容器は、箱状の容器本体１と、容器本体１に取り外し自在に被蓋される蓋体２とから構成されている。
【０００９】
容器本体１は、底部１ａと、底部１ａの周縁から上方に延びる側壁１ｂとを有し、側壁１ｂの上端には、外方向に水平に延在する上部フランジ１ｃが形成されている。上部フランジ１ｃの直ぐ下方には、側壁１ｂの外面から延びる水平部１ｄと水平部１ｄの先端から下方に延在する垂直部１ｅとからなる折り返しフランジ１ｆが、側壁１ｂを取り囲むように形成されている。また、折り返しフランジ１ｆには、１つの側壁１ｂの中央部に位置する折り返しフランジ１ｆの垂直部１ｅを、側壁１ｂ側に凹まして、凹部１ｇが形成されている。
【００１０】
上部フランジ１ｃと折り返しフランジ１ｆとの間に位置する側壁１ｂの適当な箇所には、側壁１ｂの外面から延びる水平部１ｈ’と水平部１ｈ’の先端から下方に延びる垂直部１ｈ”とからなる、容器本体１に挿入されるポリ袋等の内袋の上部を引っ掛けるための爪体１ｈが形成されており、また、上部フランジ１ｃと折り返しフランジ１ｆとの間に位置する容器本体１の角部にも、側壁１ｂの外面から延びる水平部１ｉ’と水平部１ｉ’の先端から下方に延びる垂直部１ｉ”とからなる容器本体１に挿入されるポリ袋等の内袋の上部を引っ掛けるための爪体１ｉが形成されている。また、爪体１ｈの水平部１ｈ’の上面と側壁１ｂとにより形成される隅部には、側面形状が三角形状の補強リブ１ｊが、所定の間隔をおいて２個、形成されている。同様に、爪体１ｉの水平部１ｉ’の上面と側壁１ｂとで構成される隅部にも、側面形状が三角形状の補強リブ１ｋが、１個、形成されている。なお、爪体１ｈ、１ｉの下方に位置する折り返しフランジ１ｆの水平部１ｄに穿設されている、爪体１ｈ、１ｉの水平部１ｈ’、１ｉ’と略同じ大きさを有する透孔１ｍは、金型の抜き孔である。
【００１１】
内部が空洞の蓋体２は、円錐台を、軸線に沿って二分割したような形状を有する屋根部２ａを有している。屋根部２ａの大径側先端部２ａ’から、奥まった位置には、垂直な或いは傾斜した板状部２ｂと、板状部２ｂの左右両端の垂直縁から大径側先端部２ａ’まで延在する、板状部２ｂに対して略垂直な側壁２ｃと、側壁２ｃの先端から大径側先端部２ａ’まで延在する、板状部２ｂと略平行な正面壁２ｄと、板状部２ｂの下端から、屋根部２ａと反対方向に下り傾斜を構成する傾斜部２ｅとからなる前面壁部２ｆを有している。そして、板状部２ｂには、空き缶やペットボトルや新聞、雑誌等の種々のごみのごみ投入口２ｇが穿設されている。本実施例には、空き缶専用のごみ用容器が示されているので、ごみ投入口２ｇは、円形に形成されている。屋根部２ａの頂部は、略水平な部分２ａ１と略水平な部分２ａ’から下方に傾斜した部分２ａ２を有しており、蓋体２の下端部の周囲には、略垂直状の下部壁２ｈが形成されている。
【００１２】
屋根部２ａの下部壁２ｈ及び下部壁２ｈに連続した屋根部２ａの中央部には、下部壁２ｈ及び屋根部２ａに跨がった凹部２ｉが形成されている。また、凹部２ｉを構成する、下部壁２ｈに垂直な相対する側壁２ｊには、それぞれ、透孔２ｋが穿設されている。
【００１３】
また、蓋体２の傾斜部２ｅ側に位置する下部壁２ｈの内部壁面には、水平係合リブ２ｍが突設されている。本実施例においては、所定の間隔を置いて、２個の水平係合リブ２ｍが形成されている。なお、２ｎは、屋根部２ａの内部面の下部に、所定数、形成された当接縦リブである。
【００１４】
３は、係止部材であり、方形状の板材を、略直角に屈曲した形状をしており、水平部３ａの先端部付近の両側面３ｃには、両側面３ｃに垂直な短軸３ｄがそれぞれ突設されている。また、垂直部３ｂの下端部付近には、垂直部３ｂに対して垂直な係止片３ｅが、水平部３ａの下方に位置するように形成されており、係止片３ｅの先端部の上面には、凸条３ｆが形成されている。このような構成を有する係止部材３は、短軸３ｄを、上述した蓋体２に形成された凹部２ｉを構成する側壁２ｊに穿設された透孔２ｋに挿着することにより、蓋体２に回動自在に配設されている。なお、３ｇは、係止片３ｅの下面と垂直部３ｂとのより形成される隅部に形成された三角リブである。
【００１５】
容器本体１に蓋体２を取り付けるには、蓋体２の下部壁２ｈの内部壁面に突設された水平係合リブ２ｍを、容器本体１の折り返しフランジ１ｆに形成された凹部１ｇに対して反対側に位置する上部フランジ１ｃの下面に引っ掛け、次いで、容器本体１の上部開口を覆うように、容器本体１に、蓋体２を被せる。次いで、係止部材３を、短軸３ｄを中心に、垂直部３ｂが、容器本体１の側壁１ｂと略平行になるように回動させて、係止部材３の係止片３ｅに形成された凸条３ｆを、容器本体１の凹部１ｇを構成する折り返しフランジ１ｆの垂直部１ｅに平行な係止壁１ｐの下端縁１ｐ’を越えて、容器本体１の側壁１ｂ側に移動させることにより、容器本体１に蓋体２が取り付けられるように構成されている。
【００１６】
また、容器本体１に蓋体２が取り付けられた際には、屋根部２ａの内部面の下部に形成された当接縦リブ２ｎが、容器本体１の上部フランジ１ｃの上面に当接するように構成されている。
【００１７】
本発明においては、屋根部２ａの大径側先端部２ａ’から、奥まった位置に、ごみ投入口２ｇが穿設された板状部２ｂが位置しており、ごみ投入口２ｇが穿設された板状部２ｂから大径側先端部２ａ’までが、庇部２ｑとして機能するので、屋外に設置されたごみ用容器が、雨にさらされても、ごみ投入口２ｇから、ごみ用容器内に雨が入り込むようなことが防止できる。
【００１８】
また、容器本体１に折り返しフランジ１ｆを形成したので、折り返しフランジ１ｆを構成する水平部１ｄと垂直部１ｅとにより形成される凹部に手を入れて、ごみ用容器を運搬することができるとともに、ごみ用容器が、建造物等にぶつかったり、或いは、ごみ用容器同士がぶつかり合っても、折り返しフランジ１ｆが緩衝材として機能し、ごみ用容器が損傷することが防止できる。
【００１９】
更に、容器本体１に挿入されるポリ袋等の内袋（図３に、２点鎖線で示されている。）の上部を引っ掛けるための爪体１ｈ、１ｉは、容器本体１の側壁１ｂに形成されており、従来のごみ用容器のように、容器本体の上端部等を切り欠いて形成されたものでないので、容器本体の強度が落ちるようなことがない。
【００２０】
尚更に、ごみ用容器を、缶入りの飲み物の自動販売機の側に設置した場合に、庇部２ｑにより、円形状のごみ投入口２ｇが見え難いので、心理的に、新聞や雑誌等の本来回収すべき以外のごみが投入されることを防止することができる。
【００２１】
【発明の効果】
本発明は、以上説明した構成を有しているので、以下に記載する効果を奏するものである。
【００２２】
蓋の屋根部の先端部から奥まった位置に、ごみ投入口が穿設された板状部が位置し、ごみ投入口が穿設された板状部から屋根部の先端部までが、庇部として機能するので、屋外に設置されたごみ用容器が、雨にさらされても、ごみ投入口から、ごみ用容器内に雨が入り込むようなことが防止できる。
【００２３】
容器本体の側壁の上端に形成された上部フランジの下方に、側壁の外面から延びる水平部と該水平部の先端から下方に延在する垂直部とからなる折り返しフランジを形成したので、折り返しフランジが把手として機能するとともに、緩衝材として機能し、ごみ用容器が損傷するようなことが防止できる。
【００２４】
内袋の上部を引っ掛けるための爪体を、容器本体の側壁の外面から延びる水平部と該水平部の先端から下方に延びる垂直部とにより形成したので、内袋の上部を引っ掛けるための爪体を、容器本体の上端部等を切り欠いて形成した従来のごみ用容器のように、容器本体の強度が落ちるようなことがない。
【図面の簡単な説明】
【図１】図１は本発明のごみ用容器を構成する蓋体と容器本体の斜視図である。
【図２】図２は同じく本発明のごみ用容器を構成する一部切り欠きされた蓋体と容器本体等の斜視図である。
【図３】図３は本発明のごみ用容器の垂直断面図である。
【図４】図４は本発明のごみ用容器に形成された爪体等の一部拡大斜視図である。
【図５】図５は図４のＩ−Ｉ線に沿った垂直断面図である。
【図６】図６は同じく本発明のごみ用容器に形成された爪体等の一部拡大斜視図である。
【図７】図７は図６のＩ−Ｉ線に沿った垂直断面図である。
【図８】図８は本発明のごみ用容器を構成する容器本体への蓋体の取り付けを説明するための部分分解斜視図である。
【図９】図９は本発明のごみ用容器を構成する蓋体の裏面図である。
【図１０】図１０は本発明のごみ用容器を構成する容器本体への蓋体の取り付けを説明するために部分垂直断面図である。
【図１１】図１１は本発明のごみ用容器を構成する容器本体への蓋体の取り付けに用いられる係止部材の斜視図である。
【符号の説明】
１・・・・・・・・容器本体
１ｆ・・・・・・・折り返しフランジ
１ｈ、１ｉ・・・・爪体
２・・・・・・・・蓋体
２ｂ・・・・・・・板状部
２ｇ・・・・・・・ごみ投入口
２ｑ・・・・・・・庇部
【図１】
0004105333.tif 000002
【図２】
0004105333.tif 000003
【図３】
0004105333.tif 000004
【図４】
0004105333.tif 000005
【図５】
0004105333.tif 000006
【図６】
0004105333.tif 000007
【図７】
0004105333.tif 000008
【図８】
0004105333.tif 000009
【図９】
0004105333.tif 000010
【図１０】
0004105333.tif 000011
【図１１】
0004105333.tif 000012